(57)【特許請求の範囲】
【請求項１】
発光輝度を調整可能な光源と、
上記光源を駆動するための駆動信号を出力する光源駆動手段と、
上記光源駆動手段が出力する駆動信号の変化を遅延させる遅延手段と、
上記光源の発光輝度の増減を指示する指示手段と、
上記指示手段での指示に応じて上記遅延手段による遅延動作の実行の有無を切換える光源制御手段と
を具備したことを特徴とする調光制御装置。
【請求項２】
上記光源の動作環境を検知する検知手段をさらに具備し、
上記光源制御手段は、上記光源の発光輝度の増減を行う場合に、上記指示手段での指示か上記検知手段での検知結果かに応じて上記遅延手段による遅延動作の実行の有無を切換える
ことを特徴とする請求項１記載の調光制御装置。
【請求項３】
上記光源制御手段は、上記光源の発光輝度の増減を上記検知手段の検知結果に基づいて行う場合は上記遅延動作を実行する
ことを特徴とする請求項２記載の調光制御装置。
【請求項４】
上記光源制御手段は、上記遅延手段による遅延動作の実行する際に、上記光源駆動手段が出力する駆動信号を強調する強調手段をさらに具備したことを特徴とする請求項１乃至３いずれか記載の調光制御装置。
【請求項５】
上記光源は、複数の光源素子を有し、
上記遅延手段は、上記光源の複数の光源素子に対して駆動信号の変化期間が互いに異なるように順次遅延させる
ことを特徴とする請求項１乃至４いずれか記載の調光制御装置。
【請求項６】
上記光源は、複数の光源素子を有し、
上記光源制御手段は、上記遅延手段による遅延動作の実行する際に、上記光源駆動手段が出力する駆動信号を強調する強調手段をさらに具備し、
上記光源制御手段は、上記光源の複数の光源素子に対して駆動信号の変化当初に設定する、前記強調手段によって強調される前記光源駆動手段が出力する駆動信号の強調期間の長さが互いに異なるように駆動信号を供給する
ことを特徴とする請求項１乃至３いずれか記載の調光制御装置。
【請求項７】
上記検知手段は、上記光源の温度を検知することを特徴とする請求項２乃至６いずれか記載の調光制御装置。
【請求項８】
上記検知手段は、上記光源の輝度を検知することを特徴とする請求項２乃至７いずれか記載の調光制御装置。
【請求項９】
上記光源制御手段は、上記遅延動作の実行の有の場合、遅延特性を任意に変化させることを特徴とする請求項１乃至８いずれか記載の調光制御装置。
【請求項１０】
上記遅延手段は、予め設定した積分定数を有する積分回路により構成することを特徴とする請求項１乃至９いずれか記載の調光制御装置。
【請求項１１】
上記光源制御手段は、調光信号を上記遅延手段に通すか否かを選択する選択信号を出力する選択信号出力手段を含み、
上記光源制御手段は、上記選択信号に基づいて、上記遅延手段による遅延動作の実行の有無を切換える
ことを特徴とする請求項１乃至９いずれか記載の調光制御装置。
【請求項１２】
複数の光源素子からなる発光輝度を調整可能な光源と、
上記光源を駆動するための駆動信号を出力する光源駆動手段と、
上記光源駆動手段が出力する駆動信号を強調する強調手段と、
上記光源の発光輝度の増減を指示する指示手段と
を具備し、
上記光源制御手段は、上記複数の光源素子に対して駆動信号の変化当初に設定する、前記強調手段によって強調される前記光源駆動手段が出力する駆動信号の強調期間の長さが互いに異なるように駆動信号を供給する
ことを特徴とする調光制御装置。
【請求項１３】
発光輝度を調整可能な光源と、上記光源を駆動するための駆動信号を出力する光源駆動部と、上記光源駆動部が出力する駆動信号の変化を遅延させる遅延部とを備える光源装置での調光制御方法であって、
上記光源の発光輝度の増減を指示する指示工程と、
上記指示工程での指示に応じて上記遅延部による遅延動作の実行の有無を切換える光源制御工程と
を有したことを特徴とする調光制御方法。
【請求項１４】
請求項１乃至１２いずれか記載の調光制御装置と、
画像信号を入力する入力手段と、
上記光源からの光を用い、上記入力手段で入力した画像信号に基づく光像を形成して出射する投影手段と
を具備したことを特徴とする投影装置。
【発明の詳細な説明】
【技術分野】
【０００１】
本発明は、複数の光源素子を用いる照明に好適な調光制御装置、調光制御方法及び投影装置に関する。
【背景技術】
【０００２】
従来、段階調光に際して、現在の調光率に関わらず、調光する人が白熱灯の明るさの変化を認識することができる調光装置を提供するべく、現在の調光率と調光ダウンする方向で一番近い段階調光率レベルとの差が、予め決められた設定調光率差未満の場合は１段階飛ばした段階調光率レベルに調光制御する技術が下記特許文献に記載されている。（特許文献１）
【先行技術文献】
【特許文献】
【０００３】
【特許文献１】特開２００６−０１２６４８号公報
【発明の概要】
【発明が解決しようとする課題】
【０００４】
上記特許文献に記載された技術は、ユーザが指示した輝度変化が微小である場合に、意図的に若干大きめの輝度変化を与えるものである。
【０００５】
一方で、近時急速に普及しつつある高輝度ＬＥＤやその他の発光素子のいずれであっても、経時変化や周辺の明るさ、周辺温度等により、同じ駆動条件でも発光輝度が変化することが多い。
【０００６】
そのようにユーザの意図された指示以外の要素により発光輝度が変化する発光素子に対しては、ユーザに認識されることなく発光素子の駆動条件を変更して、以前と同様の発光輝度を維持するように自動制御する必要がある。
【０００７】
以上のように、意図的に発光輝度の変化を強調して表現する場合と、発光輝度の変化がなるべくわからないように調整する場合の相反する２つの要求があり、それら双方を両立させることが難しい。
【０００８】
本発明は上記のような実情に鑑みてなされたもので、その目的とするところは、光源の発光輝度を変化させる際にその変化の度合を必要に応じて適切に調整することが可能な調光制御装置、調光制御方法及び投影装置を提供することにある。
【課題を解決するための手段】
【０００９】
請求項１記載の発明は、調光制御装置であって、発光輝度を調整可能な光源と、上記光源を駆動するための駆動信号を出力する光源駆動手段と、上記光源駆動手段が出力する駆動信号の変化を遅延させる遅延手段と、上記光源の発光輝度の増減を指示する指示手段と、上記指示手段での指示に応じて上記遅延手段による遅延動作の実行の有無を切換える光源制御手段とを具備したことを特徴とする。
【００１０】
請求項２記載の発明は、上記請求項１記載の発明において、上記光源の動作環境を検知する検知手段をさらに具備し、上記光源制御手段は、上記光源の発光輝度の増減を行う場合に、上記指示手段での指示か上記検知手段での検知結果かに応じて上記遅延手段による遅延動作の実行の有無を切換えることを特徴とする。
請求項３記載の発明は、上記請求項１または２記載の発明において、上記光源制御手段は、上記光源の発光輝度の増減を上記検知手段の検知結果に基づいて行う場合は上記遅延動作を実行することを特徴とする。
【００１３】
請求項４記載の発明は、上記請求項１乃至３いずれか記載の発明において、上記光源制御手段は、上記遅延手段による遅延動作の実行する際に、上記光源駆動手段が出力する駆動信号を強調する強調手段をさらに具備したことを特徴とする。
【００１４】
請求項５記載の発明は、上記請求項１乃至４いずれか記載の発明において、上記光源は、複数の光源素子を有し、上記遅延手段は、上記光源の複数の光源素子に対して駆動信号の変化期間が互いに異なるように順次遅延させることを特徴とする。
【００１５】
請求項６記載の発明は、上記請求項１乃至３いずれか記載の発明において、上記光源は、複数の光源素子を有し、上記光源制御手段は、上記遅延手段による遅延動作の実行する際に、上記光源駆動手段が出力する駆動信号を強調する強調手段をさらに具備し、上記光源制御手段は、上記光源の複数の光源素子に対して駆動信号の変化当初に設定する、前記強調手段によって強調される前記光源駆動手段が出力する駆動信号の強調期間の長さが互いに異なるように駆動信号を供給することを特徴とする。
請求項７記載の発明は、上記請求項２乃至６いずれか記載の発明において、上記検知手段は、上記光源の温度を検知することを特徴とする。
請求項８記載の発明は、上記請求項２乃至７いずれか記載の発明において、上記検知手段は、上記光源の輝度を検知することを特徴とする。
請求項９記載の発明は、上記請求項１乃至８いずれか記載の発明において、上記光源制御手段は、上記遅延動作の実行の有の場合、遅延特性を任意に変化させることを特徴とする。
請求項１０記載の発明は、上記請求項１乃至９いずれか記載の発明において、上記遅延手段は、予め設定した積分定数を有する積分回路により構成することを特徴とする。
請求項１１記載の発明は、上記請求項１乃至１０いずれか記載の発明において、上記光源制御手段は、調光信号を上記遅延手段に通すか否かを選択する選択信号を出力する選択信号出力手段を含み、上記光源制御手段は、上記選択信号に基づいて、上記遅延手段による遅延動作の実行の有無を切換えることを特徴とする。
請求項１２記載の発明は、調光制御装置であって、複数の光源素子からなる発光輝度を調整可能な光源と、上記光源を駆動するための駆動信号を出力する光源駆動手段と、上記光源駆動手段が出力する駆動信号を強調する強調手段と、上記光源の発光輝度の増減を指示する指示手段と、を具備し、上記光源制御手段は、上記複数の光源素子に対して駆動信号の変化当初に設定する、前記強調手段によって強調される前記光源駆動手段が出力する駆動信号の強調期間の長さが互いに異なるように駆動信号を供給することを特徴とする。
【００１６】
請求項１３記載の発明は、発光輝度を調整可能な光源と、上記光源を駆動するための駆動信号を出力する光源駆動部と、上記光源駆動部が出力する駆動信号の変化を遅延させる遅延部とを備える光源装置での調光制御方法であって、上記光源の発光輝度の増減を指示する指示工程と、上記指示工程での指示に応じて上記遅延部による遅延動作の実行の有無を切換える光源制御工程とを有したことを特徴とする。
【００１７】
請求項１４記載の発明は、投影装置であって、請求項１乃至１２いずれか記載の調光制御装置と、画像信号を入力する入力手段と、上記光源からの光を用い、上記入力手段で入力した画像信号に基づく光像を形成して出射する投影手段とを具備したことを特徴とする。
【発明の効果】
【００１８】
本発明によれば、光源の発光輝度を変化させる際にその変化の度合を必要に応じて適切に調整することが可能となる。
【図面の簡単な説明】
【００１９】
【図１】本発明の第１の実施形態に係る基本回路構成を示すブロック図。
【図２】同実施形態に係る動作波形の概略を示すタイミングチャート。
【図３】同実施形態に係る他の動作波形の概略を示すタイミングチャート。
【図４】本発明の第２の実施形態に係るデータプロジェクタ装置が備える電子回路の概略機能構成を示すブロック図。
【図５】同実施形態に係る動作波形の概略を示すタイミングチャート。
【図６】同実施形態に係る他の動作波形の概略を示すタイミングチャート。
【発明を実施するための形態】
【００２０】
（第１の実施形態）  
以下、本発明の第１の実施形態について図面を参照して説明する。
【００２１】
図１は、本実施形態に係る調光制御装置１０の基本回路構成を示すブロック図である。同図で、調光制御装置１０は、制御部１１、遅延部１２、光源部１３、及び温度センサＴＳにより構成される。
【００２２】
制御部１１は、ここでは図示しないキー操作部から光源部１３の発光輝度の増減を指示する指示信号を入力し、その入力に応じて調光制御信号と選択信号とを遅延部１２に出力する。
【００２３】
遅延部１２は、制御部１１からの調光制御信信号を変換し、適宜時間的な遅延を与えた上で調光信号として光源部１３に送出する。光源部１３は、遅延部１２からの調光信号に応じた発光輝度となるように明るさを変えて発光する発光素子で構成される。
【００２４】
加えて上記遅延部１２は、制御部１１からの選択信号により出力する調光信号に時間的な遅延を与えるか否かを選択可能な構成としている。
【００２５】
温度センサＴＳは光源部１３に対して設置され、光源部１３の発光時の温度を検知してその検知信号を上記制御部１１に出力する。
【００２６】
次に、信号の電圧レベルで調光制御を行なう場合の各回路の具体例についても説明しておく。制御部１１はＤ／Ａコンバータ１１ａを有し、意図した調光電圧レベルの調光制御信号を遅延部１２に出力する。
【００２７】
遅延部１２は、例えば抵抗ＲとコンデンサＣとによる積分回路により構成されるもので、抵抗Ｒと並列接続したスイッチＳＷに対して上記制御部１１からの選択信号が与えられ、当該スイッチＳＷをオン／オフする。選択信号によりスイッチＳＷがオンした場合、抵抗Ｒが短絡され、積分回路による遅延効果が無効化される。
【００２８】
次に上記実施形態の動作について説明する。  
図２（Ａ）に示すように制御部１１から遅延部１２への選択信号でスイッチＳＷをオンしている状態では、遅延部１２での遅延効果が無効化される。そのため、図２（Ｂ）に示すような制御部１１からの調光制御信号が遅延部１２に与えられると、遅延部１２では図２（Ｃ）に示すようにそのまま同一波形の調光信号として光源部１３に与える。結果として、光源部１３での発光輝度は制御部１１の出力する調光制御信号にリニアに追従して変化する。
【００２９】
したがって、ユーザの指示操作により光源部１３の発光輝度を変化させる場合など、あえて光源部１３での発光輝度の変化をユーザに認識させたい場合には、制御部１１に入力される指示信号に応じ、制御部１１から遅延部１２への選択信号によりスイッチＳＷをオンとしておくことで、光源部１３の発光輝度が調光制御信号の変化通りに急激に変化する。
【００３０】
次に、図２（Ａ）に示すように制御部１１から遅延部１２への選択信号でスイッチＳＷをオフにしている状態では、遅延部１２での遅延効果が有効となる。そのため、図２（Ｂ）に示すような制御部１１からの調光制御信号が遅延部１２に与えられると、遅延部１２では図２（Ｃ）に示すように積分回路での積分定数に従って徐々に変化する波形に変換して調光信号として光源部１３に与える。結果として、光源部１３での発光輝度は、制御部１１の出力する調光制御信号に対して上記積分定数に応じた一定時間後にようやく意図したレベルとなるように変化する。
【００３１】
したがって、例えば温度センサＴＳでの検知信号に対応して光源部１３の発光輝度を変化させる場合など、光源部１３での発光輝度の変化をユーザには認識させたくない場合には、制御部１１から遅延部１２への選択信号によりスイッチＳＷをオフしておくことで、遅延部１２での遅延機能を有効に設定し、光源部１３の発光輝度が調光制御信号の変化には追従せず、ゆっくりと変化するようにできる。
【００３２】
以上に述べた如く本実施形態によれば、制御部１１の出力する調光制御信号に対する遅延部１２での遅延機能を容易に選択して光源部１３への調光信号に反映できる。そのため、調光制御による発光輝度の変化をユーザに積極的に認識させたい場合と、認識させずにゆっくりと実行したい場合とで、変化の度合を必要に応じて適切に調整することが可能となる。
【００３３】
加えて、上記遅延部１２では、例えば抵抗ＲとコンデンサＣとによる簡易な積分回路により構成するものとし、抵抗Ｒと並列接続したスイッチＳＷをオン／オフさせるだけで遅延機能の有効／無効を切換えられるものとした。
【００３４】
これにより、非常に簡易な構成ながら、積分定数（時定数）が簡易な計算により算出できるため、任意の遅延特性を設定することができる上、抵抗Ｒに代えて可変抵抗、コンデンサＣに代えて可変容量コンデンサを用いるものとすれば、遅延特性を任意に可変することが容易となり、光源部１３として用いる素子の個体差等にも対応できる。
【００３５】
なお上記実施形態では、光源部１３の動作環境を検知する検知手段として温度センサＴＳを設け、光源部１３の発光温度を検知してその検知結果を制御部１１に出力する場合について説明したが、本発明はこれに限らず、例えば光源部１３の発光輝度を検知する照度センサを設け、その照度センサで得た結果を制御部１１に帰還させることで、光源部１３の発光輝度を正確に維持、あるいは制御可能となる。
【００３６】
さらに、光源部１３の動作環境を検知する検知手段としては、上記温度センサや照度センサに限らず、電流値、電圧値等の電気的な特性を検知するものとしても良い。
【００３７】
なお、遅延部１２による遅延動作を無効としても調光の変化量が小さく、ユーザに発光輝度の変化を認識させることが難しい場合には、調光制御信号の変化時に、目標となるレベルを一時的に超えるような強調を施すものとしても良い。
【００３８】
以下、そのような制御動作を本実施形態の他の動作例として説明する。  
図３は、ユーザに発光輝度の変化を認識させたい場合の各信号波形を示す。
【００３９】
制御部１１では、図３（Ｂ）に示すように調光制御信号で、目標レベルを変化させる当初の所定時間Ｔ１だけ、当該変化方向に対して電圧レベルをより強調するように変化させるべく信号レベルを制御している。
【００４０】
これとともに制御部１１は、図３（Ａ）に示すように、目標レベルを変化させる当初のタイミングでは遅延部１２への選択信号により遅延動作を無効とする一方で、上記所定時間Ｔ１の途中から、少なくとも上記遅延部１２の積分回路の積分時間が経過するまでの間は遅延部１２への選択信号により遅延動作を有効としている。
【００４１】
これにより、図３（Ｃ）に示すように光源部１３での発光輝度の変化の度合を強調してユーザにより認識し易くするとともに、その後に遅延機能を有効とすることで本来の目標レベルに徐々に発光輝度を収束させることができ、ユーザにとっても違和感のない調光制御を実現できる。
【００４２】
（第２の実施形態）  
以下、本発明を調光制御機能を備えたデータプロジェクタ装置に適用した場合の第２の実施の形態について図面を参照して説明する。
【００４３】
図４は、同実施形態に係るデータプロジェクタ装置２０が備える電子回路の概略機能構成を示すブロック図である。  
２１は入力部であり、各種規格の画像信号が入力される。入力部２１より入力した画像信号は、システムバスＳＢを介し、一般にスケーラとも称される画像変換部２２に入力される。画像変換部２２は、入力した画像信号を投影に適した所定のフォーマットの画像信号に統一した後に投影画像処理部２３へ送る。
【００４４】
投影画像処理部２３は、送られてきた画像信号に応じて、所定のフォーマットに従ったフレームレート、例えば３０［フレーム／秒］と色成分の分割数、及び表示階調数を乗算した、より高速な時分割駆動により、空間的光変調素子（ＳＬＭ）であるマイクロミラー素子２４を表示駆動する。
【００４５】
このマイクロミラー素子２４は、アレイ状に配列された複数、例えばＸＧＡ（横１０２４×縦７６８ドット）分の微小ミラーの各傾斜角度を個々に高速でオン／オフ動作することでその反射光により光像を形成する。
【００４６】
一方で、ＬＥＤアレイ２５は高輝度の白色光を発する多数のＬＥＤが規則的にアレイ配置して構成される。このＬＥＤアレイ２５の発光が、内面全面に反射ミラーを貼設した角錐台状のハウジング２６により集光され、インテグレータ２７で輝度分布が均一な光束とされた後に、カラーホイール２８を介して着色され、さらにミラー２９で全反射して上記マイクロミラー素子２４に照射される。
【００４７】
そして、マイクロミラー素子２４での反射光で光像が形成され、形成された光像が投影レンズユニット３０を介して、投影対象となるここでは図示しないスクリーンに投影表示される。
【００４８】
上記ＬＥＤアレイ２５は、投影光処理部３１により駆動制御され、駆動電流値に応じた輝度で発光する。
【００４９】
投影光処理部３１は、上記投影画像処理部２３から与えられる画像データの投影タイミング信号に応じてＬＥＤアレイ２５を構成する個々のＬＥＤの発光タイミングと駆動電流とを制御する。
【００５０】
さらに投影光処理部３１は、上記カラーホイール２８を回転するモータ（Ｍ）３２に電力を供給する他、ＬＥＤアレイ２５の温度を計測する温度センサ３３からの検知信号を受信する。
【００５１】
上記各回路の動作すべてをＣＰＵ３４が制御する。このＣＰＵ３４は、メインメモリ３５、及びプログラムメモリ３６を用いてこのデータプロジェクタ装置２０内の制御動作を実行する。メインメモリ３５は、ＤＲＡＭで構成され、ワークメモリとして機能する。プログラムメモリ３６は、動作プログラムや各種定型データ、後述するテーブル等を記憶した電気的書換可能な不揮発性メモリで構成され、必要にプログラム、データ等がＣＰＵ３４によりメインメモリ３５へ読出される。
【００５２】
上記ＣＰＵ３４は、操作部３７からのキー操作信号に応じて各種投影動作を実行する。この操作部３７は、データプロジェクタ装置２０の本体に設けられるキー操作部と、このデータプロジェクタ装置２０専用の図示しないリモートコントローラからの赤外光を受信するレーザ受光部を含み、ユーザが直接またはリモートコントローラを介して操作したキーに基づくキー操作信号をＣＰＵ３４へ直接出力する。
【００５３】
なお、上述した如く本実施形態に係るデータプロジェクタ装置２０は、調光制御機能を有しており、該機能を実現するために、上記図１の調光制御装置１０と基本的には同様の回路構成を含んでいる。すなわち、調光制御装置１０の制御部１１及び遅延部１２を投影光処理部３１内に備えると共に、同光源部１３がＬＥＤアレイ２５に、そして同温度センサＴＳが温度センサ３３に相当する。
【００５４】
したがって、図１で制御部１１から遅延部１２に出力する調光制御信号及び選択信号はいずれも投影光処理部３１内部での信号となる。また、遅延部１２から光源部１３へ出力する調光信号が、投影光処理部３１がＬＥＤアレイ２５を構成する個々のＬＥＤへの駆動信号に相当する。
【００５５】
因みに、光源素子がＬＥＤである場合、調光制御は一定電圧で電流値を可変して実行するため、後述する調光制御信号、及び調光信号はいずれも電流値を増減する信号となる。
【００５６】
次に上記実施形態の動作について説明する。  
図５（Ａ）に示すように投影光処理部３１内部の選択信号で遅延効果を無効化している状態では、図５（Ｂ）に示す投影光処理部３１内部で発振する調光制御信号を基準として、図５（Ｃ）〜図５（Ｆ）に示すようにそのまま同一波形の調光信号１〜Ｎを生成し、ＬＥＤアレイ２５を構成する個々の各ＬＥＤ（１〜Ｎ）に与える。結果として、複数のＬＥＤで構成されるＬＥＤアレイ２５での発光輝度は、図５（Ｇ）に示すように投影光処理部３１内で基準として用いる調光制御信号にリニアに追従して変化する。
【００５７】
したがって、ユーザの指示操作によりＬＥＤアレイ２５の発光輝度を変化させる場合など、あえてＬＥＤアレイ２５での発光輝度の変化をユーザに認識させたい場合には、操作部３７からの操作信号に応じ、ＣＰＵ３４を介して投影光処理部３１が意図的に遅延効果を無効化しておくことで、ＬＥＤアレイ２５の発光輝度が投影光処理部３１で発振する調光制御信号の変化通りに急激に変化する。
【００５８】
次に、図５（Ａ）に示すように投影光処理部３１内部の選択信号で遅延効果を有効化すると、図５（Ｂ）に示す投影光処理部３１内部で発振する調光制御信号を基準として、図５（Ｃ）〜図５（Ｆ）に示すように微小時間ｔ１１だけ順次遅延するような位相の異なる同一波形の調光信号１〜Ｎを生成し、ＬＥＤアレイ２５を構成する個々のＬＥＤ（１〜Ｎ）に与える。
【００５９】
結果として、複数のＬＥＤで構成されるＬＥＤアレイ２５での発光輝度は、図５（Ｇ）に示すように投影光処理部３１内で基準として用いる調光制御信号に対して、立ち上がり部分及び立ち下がり部分が緩やかな傾斜をもったものとなるように変化する。
【００６０】
したがって、例えば温度センサ３３での検知信号に対応してＬＥＤアレイ２５の発光輝度を変化させる場合など、ＬＥＤアレイ２５での発光輝度の変化をユーザには認識させたくない場合には、投影光処理部３１内部で遅延効果を有効化しておくことで、ＬＥＤアレイ２５の発光輝度が投影光処理部３１内で発振する調光制御信号の変化には追従せず、ゆっくりと変化するようにできる。
【００６１】
以上に述べた如く本実施形態によれば、ＬＥＤアレイ２５を構成する個々のＬＥＤに対して駆動信号の変化期間が互いに異なるように順次遅延させるべく制御するため、特に積分回路のような時定数をもった回路構成を持たずとも、調光制御による発光輝度の変化をユーザに積極的に認識させたい場合と、認識させずにゆっくりと実行したい場合とで、変化の度合を必要に応じて適切に調整することが可能となる。
【００６２】
なお、投影光処理部３１による遅延動作を無効としても調光の変化量が小さく、ユーザに発光輝度の変化を認識させることが難しい場合には、調光制御信号の変化時に、目標となるレベルを一時的に超えるような強調を施すものとしても良い。
【００６３】
以下、そのような制御動作を本実施形態の他の動作例として説明する。  
図６は、ユーザに発光輝度の変化を認識させたい場合の各信号波形を示す。
【００６４】
投影光処理部３１では、図６（Ｂ）に示すように調光制御信号で、目標レベルを変化させる当初の所定時間Ｔ２１だけ、当該変化方向に対して電圧レベルをより強調するように変化させるべく信号レベルを制御している。
【００６５】
これとともに投影光処理部３１は、図６（Ａ）に示すように、目標レベルを変化させる当初のタイミングでは遅延動作を無効とする一方で、上記所定時間Ｔ２１の途中からは遅延動作を有効としている。
【００６６】
投影光処理部３１は、図６（Ｃ）〜図６（Ｆ）に示すように、上記調光制御信号を基準とし、ＬＥＤアレイ２５を構成する個々のＬＥＤへの調光信号のうちの１つ「調光信号１」を上記調光制御信号と同一にすると共に、他の調光信号２〜Ｎに関してはそれぞれ上記強調を施す所定時間Ｔ２１を順次時間幅ｔ２２ずつ延長し、本来の目標レベルに戻るまでのタイミングがそれぞれ異なるように調光信号１〜Ｎ個々に固有の変化を与える。
【００６７】
結果として、複数のＬＥＤで構成されるＬＥＤアレイ２５での発光輝度は、図６（Ｇ）に示すように投影光処理部３１内で基準として用いる調光制御信号に対して、変化当初の立ち上がり（または立ち下がり）部分が一致して急峻な波形としながらも、本来の目標輝度レベルにまで戻る部分が緩やかな傾斜をもったものとなるように変化する。
【００６８】
これにより、ＬＥＤアレイ２５での発光輝度の変化の度合を強調してユーザに認識し易くするとともに、その後は本来の目標レベルに徐々に発光輝度を収束させることができ、ユーザにとっても違和感のない調光制御を実現できる。
【００６９】
なお、上記第２の実施の形態では、光源素子がＬＥＤであり、発光輝度を電流値により制御するものとして説明したが、本実施形態は発光素子及びその発光輝度の制御内容を限定するものではない。
【００７０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７１】
１０…調光制御装置、１１…制御部、１１ａ…Ｄ／Ａコンバータ、１２…遅延部、１３…光源部、２０…データプロジェクタ装置、２１…入力部、２２…画像変換部、２３…投影画像処理部、２４…マイクロミラー素子（ＳＬＭ）、２５…ＬＥＤアレイ、２６…ハウジング、２７…インテグレータ、２８…カラーホイール、２９…ミラー、３０…投影レンズユニット、３１…投影光処理部、３２…モータ（Ｍ）、３３…温度センサ、３４…ＣＰＵ、３５…メインメモリ、３６…プログラムメモリ、３７…操作部、ＳＢ…システムバス、ＴＳ…温度センサ。
【図１】
0005581673.tif 000002
【図２】
0005581673.tif 000003
【図３】
0005581673.tif 000004
【図４】
0005581673.tif 000005
【図５】
0005581673.tif 000006
【図６】
0005581673.tif 000007